(57)【要約】本発明は、インプラント治療用または外科用のカウンターアングルに関するものであって、長手方向軸を中心に器具を維持し、回転駆動させるためのヘッド（１）と、非制限的に、外部モーターとの連結を確保する連結部を内蔵するハンドピース（２）と、出力ピニオン付きの減速アセンブリとを備え、カウンターアングルを構成するのは取外し可能な複数のサブアセンブリ（３、４）であり、その主なものは、減速アセンブリの出力ピニオン（４２）と噛み合う一つの入力ピニオン（３７）および同じ回転軸上かつ中空円筒形の本体の内部に取付けられた末端ピニオン（２１）を備える中間支持体（８）と言われる一つのサブアセンブリであり、前記中間支持体（８）は、ヘッド本体（１０）の中央部分の内部の一本の軸に沿って自由にスライドするように取付けられており、すべてのサブアセンブリを一つに組み合わせて、カウンターアングルを構成させた場合には、取外し可能なヘッドカートリッジ（９）のヘッド（１）内での位置決め、ならびに回転駆動とができるようになっていることを特徴とする、カウンターアングル。【選択図】図２
2010500065.tif 000002
【特許請求の範囲】
【請求項１】
インプラント治療用または外科用のカウンターアングルであって、
器具を長手方向の軸（Ｚ）を中心に回転駆動させ維持するためのヘッドと、
非制限的に、外部のモーターとの連結を確保する連結部（５１）を内蔵するハンドピース（２）と、
出力ピニオン（４２）付きの減速アセンブリとを備え、
カウンターアングルを構成するのは取外し可能な複数のサブアセンブリであり、
その内訳は、
一つの取外し可能なハンドピースを構成する二つの同軸サブアセンブリ（３、４）と、
減速アセンブリの出力ピニオン（４２）と噛み合う一つの入力ピニオン（３７）および同じ回転軸上かつ中空円筒形本体（３３）の内部に取付けられた一つの末端ピニオン（２５）（２１）を備える中間支持体（８）（２３）である一つのサブアセンブリとであり、
前記中間支持体（８）（２３）は、ヘッド本体（１０）の中央部分（４４）の内部の一本の軸（Ｘ）に沿って自由にスライドするように取付けられており、
すべてのサブアセンブリを一つに組み合わせて、
カウンターアングルと、ハンドピース（２）との関係で、ヘッド本体（１０）に目印割出手段を備える中間支持体（８）（２３）とを構成した場合には、取外し可能なヘッドカートリッジのヘッド内部での位置決め、ならびに回転駆動とができるようになっていることを特徴とする、カウンターアングル。
【請求項２】
サブアセンブリ（３、４）が、互いの位置関係を速やかに示す目印割出手段を備えることを特徴とする、請求項１に記載のカウンターアングル。
【請求項３】
中間支持体（８）（２３）が、器具の方向（Ｚ）と角度（α）をなす方向（Ｘ）に沿って、ヘッド本体内で斜めに位置決めされていることを特徴とする、請求項１または２に記載のカウンターアングル。
【請求項４】
中間支持体（８）の円筒形導管（１８）の末端の下面切口（１４）の平らな、かつ軸方向に向けられた単数または複数の戻り部分（１３）が、ヘッドカートリッジ内に、かつヘッドの回転軸（１５）に直角に設けられた平らな支持面（１４’）に接するような位置に来て、前もって拡げたバネ座金を、ヘッドカートリッジの下面とヘッド本体の下の支持面との間に設けて、カートリッジ（９）とヘッド本体（１０）との間に残る遊びが大きくなりすぎないようにすることを特徴とする、請求項１〜３のいずれか一つに記載のカウンターアングル。
【請求項５】
中間支持体（２３）が、ヘッド本体の内側にあり中間支持体（２３）の軸に直角な肩状部分（２９）に、ぶつかって歯止めとなるように位置決めされており、その一方で、カートリッジは、器具の回転軸に直角なヘッド本体の肩状部分（２４）に全面的に寄り掛かるように位置づけられていることを特徴とする、請求項１〜３のいずれか一つに記載のカウンターアングル。
【請求項６】
中間支持体（２３）に筒型の伸縮自在なロック・システムを装備し、
そのシステムを構成するスライドロック（２７）は、その中間支持体（２３）の外部本体（３３）と同軸で一列に配置されたリング（２８）の内部をスライドする、円筒形導管の形をしており、
そのスライドロック（２７）には、リングの底（３０）に矯められたバネ（２９）を圧縮することのできる突起状の内部の歯止部と、外に向かった突起状の、その中間支持体（２３）の長手方向軸（Ｘ）に平行なリング（２８）の案内溝（３２）の中をスライドする爪状突起（３１）が備えられていることを特徴とする、請求項５に記載のカウンターアングル。
【請求項７】
支持体の本体に、カウンターアングルのハンドピースに向かった突起状の舌状の延長部分（４６）もまた備えられ、
それは、その軸（Ｘ）に平行で、入力ピニオン（３７）を通りすぎ、
その中間支持体（８、２３）が、ヘッド本体内に位置している時には、ヘッド本体の円筒形部分（４３）の開口部である割目（４５）の中に収納されるにも適していて、ヘッド本体の中央部分（４４）との関係で肘状部を形成することを特徴とする、請求項１〜６のいずれか一つに記載のカウンターアングル。
【請求項８】
ハンドピースが、二つのサブアセンブリ（３、４）を組み合わせて形成されるのであるが、その二つのうちの一つの、内部のサブアセンブリ（３）は減速アセンブリを一つ載せており、外部のサブアセンブリ（４）の中を自由にスライドし、その内部のサブアセンブリには減速アセンブリの出力ピニオン（４２）を通過する円筒形の突出部（４１）が備えられ、また、割目（４３）が備えられ、中間支持体の舌状部（４６）がその割目の中に噛み合うようになっていることを特徴とする、請求項７に記載のカウンターアングル。
【請求項９】
軸方向に移動可能で、ハンドピースとヘッド本体との分解ができる離脱態勢と、ハンドピースとヘッド本体とが連結されるようになっている作業態勢とを備える、中央のソケット（５）を備えることを特徴とする、請求項１〜８のいずれか一つに記載のカウンターアングル。
【請求項１０】
ソケットが、ねじ留めにより連結されることを特徴とする、請求項９に記載のカウンターアングル。
【請求項１１】
ソケットが、離脱態勢ではハンドピースの中に引き込まれることを特徴とする、請求項９または１０に記載のカウンターアングル。
【発明の詳細な説明】
【技術分野】
【０００１】
本発明は、取外し可能なサブアセンブリを備えるインプラント治療用または外科用のカウンターアングルに関するものである。
【背景技術】
【０００２】
インプラント治療用または外科用のカウンターアングルは、（約７０Ｎｃｍのトルクや、血液、唾液、残滓、骨片等の周囲の応力のような）機械的応力に起因する、強度の外力を受けることになる。
【０００３】
それゆえ、患者ごとに、衛生上の規則として、殺菌の前に、念入りに洗浄を行わなければならない。
【発明の概要】
【発明が解決しようとする課題】
【０００４】
その洗浄を良好に実効するために、最も肝要なのは、このタイプのカウンターアングルが、サブアセンブリの主だったものを取外しやすく、しかも再取付けするのもできるだけ容易で、しかも、そのような取外し、再取付けに工具もいらず、特別な手間もかからず、費用も大してかからないのに、効率的で信頼性の高いものであることであり、以上のことが本発明の目的となる。
【課題を解決するための手段】
【０００５】
この目的を達成するインプラント治療用または外科用のカウンターアングルは、
器具を長手方向の軸を中心に回転駆動させ維持するためのヘッドと、
非制限的に、外部のモーターとの連結を確保する連結部を内蔵するハンドピースと、
出力ピニオン付きの減速アセンブリとを備え、
カウンターアングルを構成するのは取外し可能な複数のサブアセンブリであり、
その内訳は、
一つの取外し可能なハンドピースを構成する二つの同軸サブアセンブリと、
減速アセンブリの出力ピニオンと噛み合う一つの入力ピニオンおよび同じ回転軸上かつ中空円筒形本体の内部に取付けられた一つの末端ピニオンを備える中間支持体である一つのサブアセンブリとであり、
前記中間支持体は、ヘッド本体の中央部分の内部の一本の軸に沿って自由にスライドするように取付けられており、
すべてのサブアセンブリを一つに組み合わせて、
カウンターアングルと、（ハンドピースとの関係でヘッド本体に目印割出手段を備える）中間支持体とを構成した場合には、取外し可能なヘッドカートリッジのヘッド内部での位置決め、ならびに回転駆動とができるようになっていることを特徴としている。
【０００６】
ある一つの実施変形例においては、中間支持体は、ヘッド本体内部で、その器具の方向と共にある角度を形成する方向に沿って斜めに位置づけられている。
できれば、ハンドピースの取外し可能なサブアセンブリには、互いの位置関係について迅速に識別することができる目印割出手段があることが望ましい。
【０００７】
中間支持体によるカートリッジの軸方向の位置決めの第一の実施態様によると、中間支持体の円筒形導管の末端の切口の平らなかつ軸方向に向けられた単数または複数の戻り部分が、ヘッドカートリッジ内に、かつヘッドの回転軸に直角に設けられた平らな支持面に接するような位置に来て、前もって拡げたバネ座金を、ヘッドカートリッジの下面とヘッド本体の下の支持面との間に設けてカートリッジとヘッド本体との間に残る遊びが大きくなりすぎないようにする。
【０００８】
したがって、中間支持体は、ヘッド本体の内側にあり支持体の軸に直角な肩状部分に、ぶつかって歯止めとなるように位置決めされており、その一方で、カートリッジは、器具の回転軸に直角なヘッド本体の肩状部分に全面的に寄り掛かるように位置づけられている。
【０００９】
軸方向の位置決めのもう一つの実施態様によると、中間支持体に筒型の伸縮自在なロック・システムが装備され、そのシステムを構成するスライドロックは、その中間支持体の外部本体と同軸で一列に配置されたリングの内部をスライドする、円筒形導管の形をしている。
そのスライドロックには、リングの底に矯められたバネを圧縮することのできる突起状の内部の歯止部と、外に向かった突起状の、その中間支持体の長手方向軸に平行なリングの案内溝の中をスライドする爪状突起が付いている。
【００１０】
いずれの場合にも、支持体の本体には、目印割出手段も付いており、できればカウンターアングルのハンドピースに向かった突起状の舌状の延長部分があり、それは、その軸に平行で、入力ピニオンを通りすぎ、その中間支持体がヘッド本体内に位置している時には、ヘッド本体の円筒形部分の開口部である割目の中に収納するにも適していて、ヘッド本体の中央部分との関係で肘状部を形成するのが望ましい。
【００１１】
一方、ハンドピースは、二つのサブアセンブリを組み合わせて形成されるのであるが、その二つのうちの一つの、内部のサブアセンブリは減速アセンブリを一つ載せており、もう一つの外部のサブアセンブリの中を自由にスライドし、その内部のサブアセンブリには減速アセンブリの出力ピニオンを通過する円筒形の突出部と、割目とがあって、中間支持体の舌状部がその割目の中に噛み合うようになっている。
【００１２】
いずれの場合にも、カウンターアングルは、ヘッドとハンドピースという二つの部分に取外し可能であり、そのそれぞれも、複数のサブアセンブリに取外し可能である。
そういうわけで、ヘッドとハンドピースとの連結は、取外しの際は最初であり、再取付けの際は最後となる。
両者の連結には、応力の伝達を確保するために信頼性の高い目印割出手段があり、その手段は中間支持体に設けられている。
【００１３】
更に、いずれの場合にも、ハンドピース−ヘッドの連結は、できれば、軸方向に移動可能な中央ソケットによりロックされることが望ましく、離脱態勢と作業態勢があり、離脱態勢では、できればハンドピースの中に引き込まれるようになっているか、あるいはそれに限らず、とにかくカウンターアングルを構成するすべてのサブアセンブリを分解することができるようになっていることが望ましく、作業態勢では、ハンドピースとヘッド本体とが連結されるようになっている。
同様に、逆にソケットがヘッド本体に装備されていて、ヘッド本体の中に引き込まれるような態勢にしておいてもよい。
【００１４】
本発明は、以下の添付図面を参照しつつ、以後の説明を読むことによりよりよく理解されるものである。
【図面の簡単な説明】
【００１５】
【図１】本発明によるカウンターアングルの全体図である。
【図２】本発明によるカウンターアングルの軸方向の位置決めの第一の実施態様での分解図である。
【図３】図２のカウンターアングルの部分断面図である
【図４】ヘッド本体は図示していない、定位置での中間支持体を示す全体図である。
【図５】本発明によるカウンターアングルの軸方向の位置決めのもう一つの実施態様での部分断面図である。
【発明を実施するための形態】
【００１６】
本発明のカウンターアングルを構成するのは、同軸で分離可能な二つの外部サブアセンブリ（３）および内部サブアセンブリ（４）からなるハンドピース（２）に容易に取外しおよび再取付け可能に取付けられたヘッド（１）である。
【００１７】
（図示されていない）使用時の相対的配置では、軸方向に移動可能な中央のソケット（５）がハンドピース（２）とヘッド本体（１０）とを連結しており、そのヘッド本体にはヘッド（１）が、例えばヘッド（１）の外部ねじ溝（６）にねじ留めすることにより付けられている。
【００１８】
ソケットは、各図面に示されている非限定的実施態様においては、（点線で示された（５’）の）作業態勢ではヘッドに連結されており、離脱態勢ではハンドピース（２）の円筒形またはほぼ円錐形のデフレクター（７）の内部へできれば引き込み式になっていることが望ましく、各図面、特に図１に示された態勢では例えばねじ留めを外してつぎに軸方向に移動させた後となる。
【００１９】
図２では、本発明によるカウンターアングルを複数のサブアセンブリに分離したところが示されており、その内訳は以下の通りである。
それぞれ、一つの外部のサブアセンブリ（３）と一つの内部のサブアセンブリ（４）である、ハンドピースを構成する二つのサブアセンブリ。
一つの中間支持体（８）。
一つのヘッドカートリッジ（９）と一つのヘッド本体（１０）から成る一つのヘッド（１）。
【００２０】
本発明による装置の特徴は、主に、ヘッドカートリッジ（９）を、ヘッド本体（１０）の内部に、中間支持体（８）の働きを介して、例えば、ヘッド本体（１０）の方向に対して斜めの位置に維持するという構想にあるのであるが、その斜めの位置というのはあくまで例であってそれに限定されるというものではない。
【００２１】
取外し可能なヘッドカートリッジの原理自体は既に知られている。
それは要するに、器具を保持し、その器具の長手方向軸を中心にしてその器具を回転駆動させる複数の手段を主に備えたサブアセンブリを用いるということである。
その回転運動を取外し可能なカートリッジの歯車に伝達させるのは、カートリッジをヘッド本体（１０）内に連結してロックした後のことである。
【００２２】
ここで説明する例では、ヘッド本体（１０）に連結されたピン（１１）で、カートリッジの位置決めを行い、回転を止め、そのカートリッジには軸方向に溝（１２）が掘られており、それが前記横手方向のピンと協働するようになっている。
図示されていないもう一つの実施例では、カートリッジに爪状突起が付いていて、それがヘッド本体に設けられた溝と協働するようになっていてもよい。
ヘッドカートリッジ（９）は、ヘッド本体（１０）の中で自由にスライドするようになっている。
【００２３】
ヘッドカートリッジ（９）を軸方向に位置決めして、回転駆動させることは、中間支持体（８）をヘッド本体（１０）内に導入することで、確実に行われるようにする。
【００２４】
図２から図４までで示しているのは、前記カートリッジを中間支持体（８）によって軸方向に位置決めする実施態様の一例である。
【００２５】
中間支持体（８）の円筒形導管（１８）の末端の下面切口（１４）の単数または複数の平らな（そして軸方向に向けられた）戻り部分（１３）が、ヘッドカートリッジ内にかつヘッドの回転軸（１５）に直角に設けられた平らな支持面（１４’）に接するような位置に来る。
【００２６】
前もって拡げたバネ座金（１６’）を、ヘッドカートリッジの下面とヘッド本体の下の支持面との間に備えることにより、ヘッドカートリッジ（９）とヘッド本体（１０）との間に残る遊びが大きくなりすぎないようにする。
【００２７】
また、平らな戻り部分（１３）は、円筒形導管（１８）の鼻状突出部（１６）の下面を構成しており、この突出部はまた、円筒形導管（１８）および中間支持体（８）の軸に対して斜めに配置された平らな上面切口（１７）で形成され、その末端には、その導管の軸に直角な二つの隅切（１９）がある。
【００２８】
鼻状突出部（１６）は、ヘッドカートリッジの補完的刻目（２０）に噛み合うようになっている（図２から図４参照）。
【００２９】
中間支持体の末端ピニオン（２１）は、下面切口（１４）と上面切口（１７）とを通して、ヘッドカートリッジのピニオンと噛み合う。
【００３０】
図５に示すのは、もう一つ別のヘッドカートリッジ（２２）をもう一つ別の中間支持体（２３）で軸方向に位置決めするもう一つ別の実施態様である。
【００３１】
この実施態様によると、中間支持体（２３）は、ヘッド本体の内側にあり中間支持体（２３）の軸に直角な肩状部分（２９’）にぶつかって歯止めとなるように位置決めされており、その一方で、カートリッジは、その器具の回転軸に直角のヘッド本体の肩状部分（２４）に全面的に寄り掛かるように位置決めされているが、前述の実施態様におけるような前もって拡げたバネ座金は、そのカートリッジの下面には付いていない。
中間支持体の末端ピニオン（２５）とヘッドカートリッジの入力ピニオン（２６）との位置関係の決定は、確実に行えるようになっている。
【００３２】
中間支持体（２３）には、筒型の伸縮自在なロック・システムを装備し、そのシステムを構成するスライドロック（２７）は、その中間支持体（２３）の外部本体（３３）と同軸で一列に配置されたリング（２８）の内部をスライドする、円筒形導管の形をしている。
【００３３】
スライドロック（２７）には、リングの底（３０）に矯められたバネ（２９）を圧縮することのできる突起状の内部の歯止めが付いており、また、外に向かって突出し、中間支持体（２３）の長手方向軸（Ｘ）に平行なリング（２８）の案内溝（３２）の中をスライドする爪状突起（３１）が付いている。
【００３４】
それゆえ、スライドロックの爪状突起は、軸方向にスライドすることはできるが、回転には歯止めがかけられている。
【００３５】
バネ（２９）をスライドロック（２７）上で軸（Ｘ）に沿って圧縮すると、ヘッドカートリッジの回転軸上に一つの成分（Ｚ）が生じ、そのカートリッジの平らな肩状部分（３４）上に、爪状突起（３１）が軸（Ｚ）に直角に食い込むのを介して、不可逆的で効果的な締めつけが確保される。
【００３６】
爪状突起を軸（Ｘ）に対してどのくらい傾斜させるかは、軸（Ｘ）の軸（Ｚ）に対する傾き（α）に応じて決まる。
【００３７】
これら二つのどちらの実施態様においても、中間支持体（８）または中間支持体（２３）がヘッド本体（１０）の同軸の単数または複数の軸穴（３５）の中を、前記ヘッド本体（１０）の内部の肩状部分が中間支持体の本体の環状肩状部分（３６）に対して軸方向の歯止めとなる位置に来るまで自由にスライドする。
【００３８】
中間支持体の入力ピニオン（３７）と末端ピニオン（２５）または末端ピニオン（２１）は、従来は、中間支持体の外部の円筒形本体の内部の軸受に取付けられた同一の回転軸に取付けられている。
【００３９】
例えば、ヘッド本体の軸穴の内部に突出したスパイクのような突起を、支持体の本体の上、また軸（Ｘ）と平行に設けた案内溝（３８）と協働させるような（図４参照）、他にも幾つかの方法が考えられる。
舌状突起（４６）がヘッド本体の割目（４５）と協働することで、中間支持体が前記ヘッド本体の内部で回転を停止するように確保される。
【００４０】
また、支持体の本体には一つの延長部分があり、それは、入力ピニオン（３７）を通過する、軸（Ｘ）と平行な、カウンターアングルのハンドピースに向かって突出した舌状突起（４６）であるが、その機能の詳細は後述とする。
【００４１】
更に、ヘッド本体（１０）にはハンドピースと連結する円筒形部分（４３）があり、それが、中間支持体を内部でスライドさせる中央部分（４４）との肘状部を形成する。
そのようにするために、円筒形部分（４３）には、開口部である割目（４５）があり、その内部に収納された舌状突起（４６）は、円筒形部分（４３）の中心軸に対して傾斜していて、それは舌状突起が中間支持体の軸（Ｘ）に平行だからである。
【００４２】
ここでハンドピースとそれを構成する二つの同軸の外部サブアセンブリ（３）および内部サブアセンブリ（４）について述べる。
【００４３】
外部サブアセンブリ（３）の内部で支える減速アセンブリ（４）は、外部サブアセンブリ（３）の内部で自由にスライドするが、その回転を食い止めるのは、例えばその内部サブアセンブリ（４）に付いた突出した爪状突起（３９）が外部サブアセンブリの割目（４０）に噛み合うことで行われるのであり、ソケット（５）がデフレクター（７）の中に完全に引き込まれてしまう時には、それは完全に露出して見えてしまう。
【００４４】
内部サブアセンブリの円筒形突出部（４１）は、減速アセンブリの出力ピニオン（４２）を通過し、その円筒形突出部には割目（４３）があって、その割目の中に、前述した中間支持体の舌状突起（４６）が噛み合う。
【００４５】
減速アセンブリには、従来の連結部（５１）があり、それにより外部の動力との連結を確保している。
【００４６】
ここで、様々なサブアセンブリを取付けたり、再取付けしたりする態様を述べる。
【００４７】
一方で、ピン（１１）−溝（１２）のアセンブリを用いて、ヘッドカートリッジの位置を目印割出ししながらヘッド本体（１０）の中にヘッドカートリッジ（９）を導入することで、ヘッド本体の複数のサブアセンブリを取付け、ついで、舌状突起−割目（４５、４６）のアセンブリまたはその他あらゆる目印割出手段を用いて、中間支持体の位置を目印割出ししながら、ヘッド本体の内部の軸穴の中に、中間支持体（８または２３）を導入し、そして、環状肩状部分（３６）がヘッド本体内に設けられた内部肩状部分に対してぶつかって歯止めとなる位置に来るまで中間支持体を押し込む。
【００４８】
他方では、ハンドピースを取付けるに際して、内部のサブアセンブリ（４）を外部のサブアセンブリ（３）の中に導入するのであるが、それは、爪状突起（３９）を割目（４０）に導入することで、両者を互いに目印割出しさせて行い、ソケット（５）は引き込んで収納して、その結果カウンターアングルのハンドピースが形成される。
目印割出手段は、これに限らず他にどのようなものも考慮に入れることが可能である。
【００４９】
そこで、ハンドピースをヘッド本体の入り口に取付けるに際して、それら両者を互いに目印割出しさせて、舌状突起（４６）を着脱口（４３）へと導入することで、事前位置決めアプローチを確保し、角度のある連結は、中間支持体の入力ピニオンがハンドピースの内部サブアセンブリの出力ピニオン（４２）と噛み合うまで、ハンドピース（３）の突出断片部分とヘッド本体の小さな刻目（１９）とを噛み合わせることで確保される。
目印割出手段は、これに限らず、他にどのようなものも考慮に入れることが可能である。
【００５０】
噛み合う位置では、舌状突起（４６）の下面は、割目（４３）の延長部分の、内部のサブアセンブリ本体に設けられた平面部（４８）に対向する位置になる。
【００５１】
取付け・再取付けの動作は、ソケット（５）をヘッド本体に向けて移動させて、それに例えばねじ留めにより連結させて完了する。
この最後の動作により、ハンドピースの内部肩状部分が内部サブアセンブリ（４）に軸方向の推進力を働かせることになる。
本体（４１）上に働く偏向により、斜めの支持体への軸方向の推進力の方向が変えられて、カートリッジがロックされる。
【００５２】
取外しには、まず、ソケット（５）を分離して引き込むことから始める。
したがって、ハンドピースを、スライドにより引き抜き、ハンドピースの二つのサブアセンブリを分離することができる。
【００５３】
中間支持体を引き抜きやすくするために用意したのが、舌状突起（４６）の末端に外に向けて突出した戻り部分（５０）と、器具の先端を噛み合わせて戻り部分（５０）を押し込み、中間支持体を離脱することを可能にする、舌状突起の収納部である割目（４５）の底部の着脱口（４９）とである。
【００５４】
本発明による装置は取外し、また再取付けが楽に行えるので、衛生上の規則を良好に保つことを容易にする。
【００５５】
様々なサブアセンブリの再取付けも楽に行え、しかも信頼性も高く、迅速に行えるのは、すべてのサブアセンブリに、相互関係を示す目印割出手段が付いているからである。
目印割出手段については、本文で説明したのはあくまで例でしかなく、そのような例に限定する趣旨のものではないのであって、様々な実施変形例があってよい。
【００５６】
本文で説明し、特許請求の範囲に記載の複数のサブアセンブリは、インプラント治療で必要な大きな応力を伝達可能でありながら、特別な器具を用いる必要もなく、完全に取外し可能でしかも再取付け可能なカウンターアングルの新規な構想を実現するための補完的な構想のものである。
【符号の説明】
【００５７】
１  ヘッド
２  ハンドピース
３  外部サブアセンブリ
４  内部サブアセンブリ
５  ソケット
６  外部ねじ溝
７  デフレクター
８  中間支持体
９  ヘッドカートリッジ
１０  ヘッド本体
１１  ピン
１２  溝
１３  戻り部分
１４  下面切口
１５  回転軸
１６  鼻状突出部
１７  上面切口
１８  円筒形導管
１９  隅切
２０  補完的刻目
２１  末端ピニオン
２２  ヘッドカートリッジ
２３  中間支持体
２４  肩状部分
２５  末端ピニオン
２６  入力ピニオン
２７  スライドロック
２８  リング
２９  バネ
３０  底
３１  爪状突起
３２  案内溝
３３  中空円筒形本体
３４  肩状部分
３５  軸穴
３６  環状肩状部分
３７  入力ピニオン
３８  案内溝
３９  爪状突起
４０  割目
４１  円筒形突出部
４２  出力ピニオン
４３  円筒形部分
４４  中央部分
４５  割目
４６  舌状突起
４８  平面部
４９  出口
５０  戻り部分
５１  連結部
【図１】
2010500065.tif 000003
【図２】
2010500065.tif 000004
【図３】
2010500065.tif 000005
【図４】
2010500065.tif 000006
【図５】
2010500065.tif 000007
【国際調査報告】
2010500065.tif 000008
2010500065.tif 000009
2010500065.tif 000010
2010500065.tif 000011
2010500065.tif 000012
2010500065.tif 000013